(57)【要約】【課題】釣用三脚に代表される釣竿係止具の改良。脚部が釣り場に容易に差し込まれ、しかも、不用意に釣り場にめり込むことのない安定した釣竿係止具の提供。【解決手段】釣用三脚１０の各脚部１４〜１６に張出部材１２が設けられている。張出部材１２は、張出部２７を備え、張出部２７は、各脚部１４〜１６の軸方向に直交する方向に突設されている。張出部２７は、平板により構成されている。張出部材１２は、各脚部１４〜１６の軸方向に沿ってスライドする。【選択図】　図１
2004065026.tif 000002
【特許請求の範囲】
【請求項１】
細長棒状の脚部を有する釣竿係止具において、
脚部の軸方向と交差する方向に張り出した張出部を備える張出部材が、当該脚部に設けられていることを特徴とする釣竿係止具。
【請求項２】
上記張出部は、平板により構成されている請求項１記載の釣竿係止具。
【請求項３】
上記張出部材が上記脚部の軸方向に沿ってスライドするのを許容し、且つ上記張出部材を上記脚部の所望の位置で固定するスライド機構をさらに備える請求項１又は２記載の釣竿係止具。
【請求項４】
上記張出部が上記脚部の軸方向に沿う方向に配置されるように当該張出部を折り畳む折畳機構をさらに備える請求項１ないし３のいずれかに記載の釣竿係止具。
【発明の詳細な説明】
【０００１】
【発明の属する技術の分野】
この発明は、釣りの最中に釣竿を立てかけておくための釣竿係止具に関するものである。
【０００２】
【従来の技術及び発明が解決しようとする課題】
投げ釣り等では、釣人は、仕掛けをキャストした後に釣糸を張り、その状態で魚のあたりを待つ。そのときに釣人が常時釣竿を把持しておくのは非常に困難であるので、一般に釣竿を立てかけておく釣竿係止具が使用される。この釣竿係止具は、通常は脚部を３本備えており、このため、「三脚」と称されることが多い。
【０００３】
図７は、従来の三脚の要部の構造を示している。
同図が示すように従来の三脚１は、カメラ用の三脚と同様に３つの脚部２，３，４を備え、これらの上端部分がフレーム７を介して互いに連結されている。同図が示すように、三脚１の使用時には、各脚部２〜４が放射状に展開し、三脚１は、釣り場（たとえば砂浜等）の上に立設されるようになっている。また、脚部２〜４の上方には、水平に配置される竿掛部材５が設けられている。この竿掛部材５は、複数のフック部６を備えており、釣竿は、このフック部６に立て掛けられるようになっている。
【０００４】
ところで、従来の三脚１では、各脚部２〜４の先端部分は、釣り場に差し込みやすいように鋭利な形状に仕上げられている。しかしながら、各脚部２〜４の先端部分がかかる形状であるから、三脚１の使用中に脚部２〜４が釣り場にめり込んでしまい、場合によっては、三脚１が転倒してしまうことも考えられる。
そこで、本発明の目的は、脚部を釣り場に容易に差し込むことができ、しかも、不用意に釣り場にめり込むことのない安定した釣竿係止具を提供することである。
【０００５】
【課題を解決するための手段】
（１）　上記目的を達成するため、本願にかかる釣竿係止具は、細長棒状の脚部を有する釣竿係止具において、脚部の軸方向と交差する方向に張り出した張出部を備える張出部材が、当該脚部に設けられていることを特徴とするものである。
【０００６】
この構成によれば、脚部が細長棒状に形成されているから、脚部を釣り場に容易に差し込むことができる。しかも、脚部には張出部材が設けられており、この張出部材は、張出部を備える。この張出部は、脚部の軸方向に交差する方向に張り出しているから、脚部の当該張出部材が設けられた部位では、当該脚部の外径が急激に大きくなっている。したがって、仮に釣り場が例えば砂地等のきわめて柔らかいものであって、脚部がめり込んでしまうような地面であっても、張出部が地面と当接することによって、脚部が地面にめり込むことが防止される。
ここで、上記張出部は、平板により構成することができる。このようにすれば、張出部を簡単に構成することができ、張出部材をコスト安価に製造することができる。
【０００７】
（２）　また、上記張出部材が上記脚部の軸方向に沿ってスライドするのを許容し、且つ上記張出部材を上記脚部の所望の位置で固定するスライド機構が設けられていてもよい。
このスライド機構によって、張出部材を脚部の所望の位置に配置することができる。つまり、脚部が地面に差し込まれる長さを釣人が意図的に決定することができる。したがって、釣り場の地面の状況によっては、釣竿係止具が釣り場で安定するために、脚部が一定長さだけ地面に差し込まれた方がよい場合があるが、釣人は、かかる場合にも不具合なく迅速に対応することができる。
【０００８】
（３）　さらに、上記張出部が上記脚部の軸方向に沿う方向に配置されるように当該張出部を折り畳む折畳機構が設けられていてもよい。
この折畳機構によって、張出部は、所要時に脚部の軸方向に沿って配置される。したがって、釣竿係止具が使用されないときは、脚部がコンパクトに収納される。
【０００９】
【発明の実施の形態】
以下、適宜図面が参照されつつ、好ましい実施形態に基づいて本発明が詳細に説明される。
【００１０】
図１は、本発明の一実施形態に係る釣用三脚（釣竿係止具）の使用状態における要部拡大斜視図である。
この釣用三脚１０は、たとえば投釣りの際に釣竿を立てかけておくためのものである。釣用三脚１０は、三脚本体１１と、三脚本体１１に設けられた張出部材１２とを備えている。本実施形態の特徴とするところは、この張出部材１２が三脚本体１１の各脚部１４〜１６に対して略直交するように（各脚部１４〜１６から径方向外方に張り出すように）設けられている点であり、これにより、釣用三脚１０は、安定して釣り場の地面等に設置されるようになっている。
【００１１】
三脚本体１１は、従来から提供されている一般的なものであり、図７で示されたものと同様の構成である。すなわち、三脚本体１１は、ベースフレーム１３と、ベースフレーム１３に設けられた第１脚部１４，第２脚部１５及び第３脚部１６と、ベースフレーム１３に設けられた竿掛部材１７とを有する。
【００１２】
ベースフレーム１３は、例えば、ステンレス鋼、アルミニウム合金等の金属のほか、樹脂等により構成されており、下部支持部１８と上部支持部１９とを有する。
下部支持部１８は、放射状に３つの支持アーム２０〜２２を有し、この支持アーム２０〜２２に上記各脚部１４〜１６の上端部がそれぞれ連結されている。各支持アーム２０〜２２と各脚部１４〜１６との連結は、図示されていない支持ピン等により行われており、これにより、各脚部１４〜１６は、矢印Ｒ１，Ｒ２，Ｒ３の方向に沿って回動することができ、互いに拡縮するようになっている。
【００１３】
また、上部支持部１９は、下部支持部１８と一体的に形成されており、図が示すように円柱状に形成されている。この上部支持部１９も支持アーム２３を備えており、この支持アーム２３によって、上記竿掛部材１７が支持されている。竿掛部材１７は、上記各脚部１４〜１６と同様に、支持ピン等を介して支持アーム２３に連結されており、これにより、矢印Ｒ４，Ｒ５の方向に沿って回動することができるようになっている。
【００１４】
竿掛部材１７は、図が示すように一対設けられている。竿掛部材１７は、複数の係止凹部２４が設けられており、釣竿は、この係止凹部２４に落とし込まれるようにして係止される。なお、係止凹部２４の個数に制限はない。
【００１５】
脚部１４は、例えば、ステンレス鋼、アルミニウム合金等の金属のほか樹脂等により構成されている。脚部１４は、図が示すように、細長の円柱状に形成されており、その下端部２８（先端部）は、漸次縮径され、鋭利な形状に形成されている。なお、脚部１４は、中実の円柱状に形成されていてもよいし、中空の円柱状に形成されていてもよい。また、脚部１４は、円柱状のものに限定されるものではなく、断面が多角形状に形成されていてもよい。
本実施形態では、脚部１４の上端部は、上記支持ピン等により回動可能に連結されているが、下部支持部１８に固定されていてもよい。
なお、脚部１５及び脚部１６についても、脚部１４と同様の構成である。よって、脚部１５及び脚部１６については、その説明が省略される。
【００１６】
張出部材１２は、各脚部１４〜１６の下方に取り付けられている。前述のように、張出部材１２は、各脚部１４〜１６の径方向外方に張り出すように設けられている。なお、同図では、説明の簡略化のために、脚部１４に取り付けられた張出部材１２のみが図示されている。
【００１７】
図２は、張出部材１２の拡大斜視図である。
張出部材１２は、固定部２５と、固定ねじ２６と、張出部２７とを有する。本実施形態では、これらは例えばステンレス鋼等により構成されているが、樹脂等により構成されていてもよい。
固定部２５は、本実施形態では円環状に形成されている。固定部２５の内径は、脚部１４の外径に対応しており、脚部１４が固定部２５に挿通されるようになっている。
【００１８】
固定部２５には、図２が示すように、径方向に貫通するねじ孔２９が設けられている。そして、固定ねじ２６は、このねじ孔２９にねじ込まれるようになっている。つまり、脚部１４が固定部２５に挿通された状態で、固定ねじ２６をねじ孔２９にねじ込むことによって、固定ねじ２６の先端３０が固定部２５を貫通して脚部１４に押圧される。これにより、固定部２５は、脚部１４に固定される。なお、固定ねじ２６は、一般的なねじ、ボルト等が採用される。
【００１９】
また、固定ねじ２６が緩められることによって、固定部２５は脚部１４に沿ってスライドすることができる。つまり、本実施形態では、円環状に形成された固定部２５と固定ねじ２６によって、脚部１４に沿って張出部材１２をスライドさせるスライド機構が構成されている。この機構によって、固定部２５は、脚部１４の所望の位置に固定される。
【００２０】
本実施形態では、固定部２５は、張出部材１２を脚部１４に固定するために、脚部１４が挿通される円環状に形成され、固定ねじ２６によって固定される構造であるが、かかる構造に限定されるものでないことは勿論である。例えば、固定部２５を二分割された円環状に形成し、これらを脚部１４の外周面に沿って配置し、ボルト等により脚部１４に締め付けるような構成であってもよい。
また、円環状の固定部２５の内部にゴム等の弾性体を配置し、脚部１４が固定部２５に挿通された状態で、当該弾性体による緊迫力で固定される構成であってもよい。要するに、固定部２５が脚部１４に係止され得る構造であればよい。
【００２１】
張出部２７は、本実施形態では、平板により構成されており、上記固定部２５と一体的に形成されている。もっとも、張出部２７は、固定部２５とは別の部材として構成され、既知の固着手段により固定部２５に固定されていてもよい。
張出部２７は、図２が示すように、略９０°に拡がった扇状に形成されている。張出部２７は、その基端が固定部２５に連続され、先端部が固定部２５の径方向に突出するように配置されている。これにより、図１が示すように、脚部１４に固定部２５が固定された状態で、張出部２７は、脚部１４の軸方向に直交する方向に張り出すようになっている。
【００２２】
本実施形態では、張出部２７は、固定部２５の径方向に突出するように形成され、その結果、脚部１４の軸方向に直交する方向に張り出すように形成されているが、張出部２７の張出方向は、脚部１４の軸方向に直交する方向に限定されるものではなく、少なくとも当該軸方向と交差する方向であればよい。
張出部２７が、結果として脚部１４の軸方向と交差する方向に張り出すためには、種々の手法が考えられる。例えば、張出部２７の角度（固定部２５に対する角度）が変化されることにより、張出部２７が脚部１４の軸方向と交差する方向に張り出す場合、脚部１４に対して固定部２５が傾斜されて取り付けられることにより、張出部２７が脚部１４の軸方向と交差する方向に張り出す場合等がある。
【００２３】
本実施形態に係る釣用三脚１０は、次のようにして使用される。
釣人は、釣り場において、各脚部１４〜１６を開拡させ、その状態で、釣り場の地面等に釣用三脚１０を立設する。このとき、各脚部１４〜１６は、下端部２８が鋭利な形状に形成されているから、釣人は、各脚部１４〜１６を簡単に地面等に差し込むことができ、釣用三脚１０を安定させて設置することができる。そして、釣人は、竿掛部材１７を展開させ、釣竿を立てかけることができる。
【００２４】
各脚部１４〜１６には、張出部２７を備えた張出部材１２が設けられており、この張出部２７は、各脚部１４〜１６の軸方向に直交する方向に張り出している。つまり、各脚部１４〜１６において、張出部材１２が設けられた部位では、脚部１４〜１６の外径が急激に拡大されている。
したがって、仮に釣り場が例えば砂地等のきわめて柔らかい場合であっても、張出部２７が地面と当接することによって、各脚部１４〜１６がめり込んでしまうことがない。そのため、釣用三脚１０は、常に安定した姿勢を保つことができ、各脚部１４〜１６が地面にめり込むことを原因とする釣用三脚１０の転倒等が防止される。
【００２５】
特に本実施形態では、上記張出部２７が平板により構成されているので、当該張出部２７を簡単に形成することができる。これにより、張出部材１２をコスト安価に製造することができ、釣用三脚１０の製造コストが大幅に上昇することはない。
さらに、本実施形態では、上記スライド機構が構成されているから、張出部材１２は、各脚部１４〜１６の所望の位置で固定される。したがって、釣り場の地面の状況によっては、釣用三脚１０が釣り場で安定するために、脚部１４〜１６が一定長さだけ地面に差し込まれた方がよい場合があるが、釣人は、そのような要請にも不具合なく迅速に対応することができる。
【００２６】
次に、本実施形態の変形例について説明される。
図３は、本実施形態の第１の変形例に係る張出部材３１の斜視図である。
この変形例に係る張出部材３１が上記実施形態に係る張出部材１２と異なるところは、図３が示すように、張出部２７に凹部３２が設けられている点である。なお、その他の構成については、上記張出部材１２と同様である。
【００２７】
この凹部３２は、張出部２７の上面に設けられており、張出部２７の板厚方向に形成されている。この凹部３２が設けられることにより、張出部材３１が軽量化され、釣用三脚１０全体としての重量が軽くなる。しかも、この凹部３２が設けられることにより、張出部２７の上面に重錘等が安定しての載置される。これにより、釣用三脚１０は、一層安定して釣り場に固定される。
【００２８】
図４は、本実施形態の第２の変形例に係る張出部材５０の断面図である。
この変形例に係る張出部材５０が上記実施形態に係る張出部材１２と異なるところは、図４が示すように、固定部２５の内周面５１が曲面に形成されている点である。なお、その他の構成については、上記張出部材１２と同様である。
【００２９】
上記固定部２５の内周面５１は、例えば、内側に滑らかに突出する円弧面に形成される。このように、固定部２５の内周面５１が曲面に形成されることにより、各脚部１４〜１６は、固定部２５に対して相対的に矢印５２の方向に沿って傾斜することができる。つまり、各脚部１４〜１６に対する張出部材５０の張出角度が自在に変更される。
【００３０】
したがって、釣り場の地面が一様に傾斜しておらず、各脚部１４〜１６の接地面が様々に傾斜している場合であっても、当該地面の傾斜に対応して各脚部１４〜１６に対する張出部材５０の傾斜角度が決定され、釣用三脚１０は、一層安定して釣り場に固定される。
なお、本変形例では、固定ねじ２６に把手５３が設けられている。この把手５３によって、固定ねじ２６の操作が容易になる。
【００３１】
図５は、本実施形態の第２の変形例に係る張出部材３３の斜視図である。
この変形例に係る張出部材３３が上記実施形態に係る張出部材１２と異なるところは、図５が示すように、張出部３４が円盤状に形成されている点である。なお、その他の構成については、上記張出部材１２と同様である。
張出部３４が円盤状に形成されることにより、脚部１４〜１６の地面へのめり込みは効果的に防止され、釣用三脚１０は、一層安定して釣り場に設置される。
【００３２】
本変形例は、さらに次のような設計変更が施される。
図６は当該第２の変形例の設計変更例に係る張出部材５４の断面図である。
この張出部材５４は、筒状の固定部５５と、これに嵌め込まれた張出板５６（張出部）とを備えている。なお、同図では、固定ねじ２６の図示は省略されている。
固定部５５は、図６が示すように、中央部５７の外径が縮径されており、いわゆる段付き形状に形成されている。
張出板５６は、その中心に貫通孔が形成されており、この貫通孔の内径は、上記中央部５７の外径よりも大きく設定されている。そして、張出板５６は、この縮径された中央部５７に嵌め込まれており、これにより、張出板５６は、固定部５５に所定の隙間を有して遊嵌されている。
【００３３】
したがって、張出板５６は、固定部５５に対して全方向に所定角度だけ傾斜することができ、図６の実線で示された姿勢と二点差線で示された姿勢との間で、自在に傾斜することができる。その結果、釣り場の地面が一様に傾斜しておらず、各脚部１４〜１６の接地面が様々に傾斜している場合であっても、当該地面の傾斜に対応して各脚部１４〜１６に対する張出部材５４の傾斜角度が決定され、釣用三脚１０は、一層安定して釣り場に固定される。
【００３４】
図７は、本実施形態の第３の変形例に係る張出部材３５の斜視図である。
この変形例に係る張出部材３５が上記実施形態に係る張出部材１２と異なるところは、上記実施形態では、固定部２５及び張出部２７がステンレス鋼等により構成されていたのに対し、本変形例では、張出部材３５がアクリロニトリル−ブタジエンゴム（ＮＢＲ）等のゴム、ＡＢＳ樹脂、ポリカーボネート等の合成樹脂により一体的に形成されている点、及び張出部３７が円盤状に形成されている点である。
【００３５】
本変形例では、固定部３６の内径は、各脚部１４〜１６の外径よりも若干小さく設定されている。したがって、各脚部１４〜１６が固定部３６に挿通されたときは、固定部３６の弾性変形による緊迫力によって、張出部材３５が各脚部１４〜１６に保持される。そして、釣人は、この緊迫力による張出部３４の保持力に抗して張出部材３５を各脚部１４〜１６に沿ってスライドさせることにより、所望の位置に張出部材３５を配置することができる。
この変形例に係る張出部材３５は、成形型を用いた成形により簡単に製造されるので、張出部材３５の製造コストを一層低減させることが可能であると共に、張出部材３５の重量をきわめて軽くすることができるという利点がある。
【００３６】
本変形例は、さらに次のような設計変更が施される。
図８は、当該第３の変形例の設計変更例に係る張出部材５８の断面図である。同図が示すように、この張出部材５８では、上記固定部３６が先端部５９及びこれに連続するテーパ部６０とを備えている。先端部５９の内径は、各脚部１４〜１６の外径に対応されており、先端部５９が各脚部１４〜１６に嵌め込まれることにより、その弾性による緊迫力によって当該各脚部１４〜１６に固定されるようになっている。
また、テーパ部６０は、先端部５９に連続して下方へ漸次拡径されるように形成されており、その内径は、図８が示すように、テーパ孔となっている。このため、固定部３６が各脚部１４〜１６に嵌め込まれた状態で、テーパ部６０と各脚部１４〜１６との間に、くさび状の隙間６１が形成される。
【００３７】
したがって、テーパ部６０が弾性変形することによって、張出部３７が各脚部１４〜１６に対して全方向に所定角度だけ傾斜することができる。その結果、釣り場の地面が一様に傾斜しておらず、各脚部１４〜１６の接地面が様々に傾斜している場合であっても、当該地面の傾斜に対応して各脚部１４〜１６に対する張出部３７の傾斜角度が変更され、釣用三脚１０は、一層安定して釣り場に固定される。
【００３８】
また、上記実施形態及び各変形例では、固定部２５，３６が筒状に形成されており、張出部２７，３４，３７が平板状に形成されているが、これらは、例えばステンレス線材を屈曲又は湾曲形成することにより構成されていてもよい。
【００３９】
図９は、本実施形態の第４の変形例に係る張出部材３８の一部断面側面図である。
この変形例に係る張出部材３８が上記実施形態に係る張出部材１２と異なるところは、図６が示すように、張出部２７が蝶番３９を介して固定部２５に取り付けられている点である。なお、その他の構成については、上記張出部材１２と同様である。
【００４０】
蝶番３９は、例えばねじ４３等を用いて張出部２７に連結されている。このように、蝶番３９が設けられているので、張出部２７は、同図が示すように、脚部１４の径方向に張り出した張出姿勢から矢印４０の方向に回動し、脚部１４の軸方向に沿う収納姿勢へと姿勢変化が可能となっている。
また、固定部２５には、蝶番３９が設けられている位置に対応する位置に、ストッパー４１が取り付けれている。このため、張出部２７は、上記収納姿勢から矢印４２の方向に回動して上記張出姿勢となったときに、ストッパー４１に当接する。このため、張出部２７は、収納姿勢から張出姿勢となったときは、それ以上矢印４２の方向に回動することはない。
つまり、上記蝶番３９及びストッパー４１によって、張出部２７を折り畳むための折畳機構が構成されている。
【００４１】
本変形例では、上記折畳機構が設けられているから、釣用三脚１０が使用されないとき、又は、釣り場の地面等が十分固く、脚部１４のめり込みが生じない場合等には、張出部２７を折り畳むことができ、脚部１４をコンパクトに収納することができるという利点がある。
【００４２】
なお、上記実施形態及び変形例では、本発明が釣用三脚に適用される態様が開示されているが、本発明は、これに限定されるものではなく、釣用ピトンにも適用され得るものであることは勿論である。
【００４３】
【発明の効果】
以上のように本発明によれば、脚部の先端部が鋭利な形状に形成されているから、釣人は、脚部を釣り場の地面に差し込んで簡単且つ迅速に釣竿係止具を設置することができる。しかも、張出部材によって脚部が地面に不用意にめり込んでしまうことがないので、釣竿係止具は、長時間安定して使用される。
【図面の簡単な説明】
【図１】図１は、本発明の一実施形態に係る釣用三脚の使用状態における要部拡大斜視図である。
【図２】図２は、本発明の一実施形態に係る釣用三脚の張出部材の拡大斜視図である。
【図３】図３は、本発明の一実施形態の第１の変形例に係る張出部材の斜視図である。
【図４】図４は、本発明の一実施形態の第２の変形例に係る張出部材の断面図である。
【図５】図５は、本発明の一実施形態の第２の変形例に係る張出部材の斜視図である。
【図６】図６は、本発明の一実施形態の第２の変形例の設計変更例に係る張出部材の断面図である。
【図７】図７は、本発明の一実施形態の第３の変形例に係る張出部材の斜視図である。
【図８】図８は、本発明の一実施形態の第３の変形例の設計変更例に係る張出部材の断面図である。
【図９】図９は、本発明の一実施形態の第４の変形例に係る張出部材の一部断面側面図である。
【図１０】図１０は、従来の三脚の要部の構造を示す図である。
【符号の説明】
１０・・・釣用三脚
１１・・・三脚本体
１２・・・張出部材
２５・・・固定部
２６・・・固定ねじ
２７・・・張出部
２８・・・下端部
２９・・・ねじ孔
３０・・・固定ねじの先端
３１・・・張出部材
３３・・・張出部材
３４・・・張出部
３５・・・張出部材
３６・・・固定部
３７・・・張出部
３８・・・張出部材
３９・・・蝶番
４１・・・ストッパー
【図１】
2004065026.tif 000003
【図２】
2004065026.tif 000004
【図３】
2004065026.tif 000005
【図４】
2004065026.tif 000006
【図５】
2004065026.tif 000007
【図６】
2004065026.tif 000008
【図７】
2004065026.tif 000009
【図８】
2004065026.tif 000010
【図９】
2004065026.tif 000011
【図１０】
2004065026.tif 000012